(57)【要約】【課題】スピーカと制御基板を筒体で覆いつつ、スピーカの音質を向上させることのできる光源装置を提供する。【解決手段】グローブ３１と筐体２１で画成された内部に、グローブ３１と一体に固定されたスピーカ５と、筐体２１に支持された光源４と、スピーカ５の背後に収容された制御基板７１と、スピーカ５と制御基板７１を覆う筒体９１とを備える。筒体９１は、グローブ３１の頭頂部側のスピーカカバー９２と筐体２１側の基板カバー９３とに、スピーカ５の背後で２分割されるようにし、スピーカ５とスピーカカバー９２はグローブ３１に固定し、基板カバー９２は筐体２１に支持させ、スピーカカバー９２と基板カバー９３は離間して配置した。【選択図】図３
2018139178.tif 000002
【特許請求の範囲】
【請求項１】
口金を介して電力供給を受ける光源装置であって、
前記口金が接続された筐体と、
前記筐体に被せられ、光の透過性を有するグローブと、
前記グローブと一体に固定されたスピーカと、
前記筐体に支持された光源と、
前記スピーカの背後に収容された制御基板と、
前記スピーカの放音面を除いて前記スピーカと前記制御基板を概略覆う筒体と、
を備え、
前記筒体は、
前記グローブの頭頂部側のスピーカカバーと前記筐体側の基板カバーとに、前記スピーカの背後で２分割され、
前記スピーカと前記スピーカカバーは、前記グローブに固定され、
前記基板カバーは、前記筐体に支持され、
前記スピーカカバーと前記基板カバーは離間して配置されていること、
を特徴とする光源装置。
【請求項２】
前記スピーカは、前記スピーカカバーを介して前記グローブに固定されていること、
を特徴とする請求項１記載の光源装置。
【請求項３】
一端が前記スピーカを回り込んで前記グローブの頭頂部中心側へ湾曲すると共に光を乱反射させ、他端が前記光源に向けて延びる導光体を備え、
前記スピーカと前記スピーカカバーと前記導光体は、前記グローブに固定され、
前記スピーカカバーは、前記導光体を介して前記グローブに固定されていること、
を特徴とする請求項２記載の光源装置。
【請求項４】
前記スピーカは、前記グローブに直接接続されていること、
を特徴とする請求項１記載の光源装置。
【請求項５】
前記スピーカカバーと前記基板カバーとの間に、音の疎密波を通して、気流を遮断するシール部を備えること、
を特徴とする請求項１乃至４の何れかに記載の光源装置。
【請求項６】
前記シール部は、ラビリンスシール部であること、
を特徴とする請求項５記載の光源装置。
【請求項７】
前記シール部は、スポンジであること、
を特徴とする請求項５記載の光源装置。
【請求項８】
前記シール部は、リップシール部であること、
を特徴とする請求項５記載の光源装置。
【請求項９】
前記スピーカカバーと前記基板カバーは、断熱性樹脂で成ること、
を特徴とする請求項１乃至８の何れかに記載の光源装置。
【請求項１０】
前記スピーカカバーと前記基板カバーは、外表面に反射面を有すること、
を特徴とする請求項１乃至９の何れかに記載の光源装置。
【発明の詳細な説明】
【技術分野】
【０００１】
本発明は、口金を有しスピーカを内蔵する光源装置に関する。
【背景技術】
【０００２】
一般の白熱電球用のソケットに装着可能な電球型の光源装置がある。近年、グローブ内部に光源のみならず、スピーカを収容した光源装置が提案されている。この光源装置は、ブルートゥース(登録商標)等の無線規格に従ってオーディオ信号を受信し、照明効果のみならず、音楽や音声の放音を可能とする。
【０００３】
放音機能を有する光源装置は、口金とは反対の頭頂部付近にスピーカを有し、スピーカの背後には、光源及びスピーカを制御する制御基板を有する。光源は、スピーカと制御基板の配置領域を囲むようにリング状に配置される。光源からの出射光の一部はスピーカと制御基板が並ぶ、光源装置の中心軸方向にも向かう。
【０００４】
そこで、スピーカ及び制御基板を側面から覆う筒体を光源装置の中心軸に沿って配置した光源装置が提案されている（例えば特許権文献１参照）。筒体は、外表面がシルク印刷、シボ加工、又はブラスト加工され、入射光を反射及び拡散させる機能を有する。これにより、グローブ胴部からの出射光の量が増し、光源装置は広範囲の配光角を備えることになる。
【先行技術文献】
【特許文献】
【０００５】
【特許文献１】特開２０１６−０５１６６５号公報
【発明の概要】
【発明が解決しようとする課題】
【０００６】
この筒体を有する光源装置は、スピーカの背後を筒体の内部に閉じ込めた構造を採ることになる。即ち、スピーカのエンクロージャが筒体の容積に限定されることになる。そのため、筒体を有する光源装置は、広範囲な配光角を獲得する代わりに、スピーカの音質低下を受け入れなければならない。
【０００７】
本発明は、上記のような従来技術の問題点を解決するために成されたものであり、その目的は、スピーカと制御基板を筒体で覆いつつ、スピーカの音質を向上させることのできる光源装置を提供することにある。
【課題を解決するための手段】
【０００８】
上記の目的を達成するために、本発明の光源装置は、口金を介して電力供給を受ける光源装置であって、前記口金が接続された筐体と、前記筐体に被せられ、光の透過性を有するグローブと、前記グローブと一体に固定されたスピーカと、前記筐体に支持された光源と、前記スピーカの背後に収容された制御基板と、前記スピーカの放音面を除いて前記スピーカと前記制御基板を概略覆う筒体と、を備え、前記筒体は、前記グローブの頭頂部側のスピーカカバーと前記筐体側の基板カバーとに、前記スピーカの背後で２分割され、前記スピーカと前記スピーカカバーは、前記グローブに固定され、前記基板カバーは、前記筐体に支持され、前記スピーカカバーと前記基板カバーは離間して配置されていること、を特徴とする。
【０００９】
前記スピーカは、前記スピーカカバーを介して前記グローブに固定されているようにしてもよい。また、一端が前記スピーカを回り込んで前記グローブの頭頂部中心側へ湾曲すると共に光を乱反射させ、他端が前記光源に向けて延びる導光体を備え、前記スピーカと前記スピーカカバーと前記導光体は、前記グローブに固定され、前記スピーカカバーは、前記導光体を介して前記グローブに固定されているようにしてもよい。また、前記スピーカは、前記グローブに直接接続されているようにしてもよい。
【００１０】
前記スピーカカバーと前記基板カバーとの間に、音の疎密波を通して、気流を遮断するシール部を備えるようにしてもよい。例えば、前記シール部は、ラビリンスシール部であり、前記シール部は、スポンジであり、または前記シール部は、リップシール部であるようにしてもよい。
【００１１】
前記スピーカカバーと前記基板カバーは、断熱性樹脂で成るようにしてもよい。また、前記スピーカカバーと前記基板カバーは、外表面に反射面を有するようにしてもよい。
【発明の効果】
【００１２】
本発明によれば、スピーカ及び制御基板を筒体で覆いつつ、スピーカのエンクロージャの容積をグローブと筒体の和集合の空間にまで拡大でき、スピーカの音質が向上する。
【図面の簡単な説明】
【００１３】
【図１】光源装置の概略構成を示す透視斜視図である。
【図２】光源装置の電気的構成を示すブロック図である。
【図３】光源、スピーカ及び制御基板を支持する光源装置の構造を示す断面図である。
【図４】グローブと筐体により画成される内部空間を示す図である。
【図５】スピーカカバーと基板カバーとの間の一例を示す拡大図である。
【図６】光源、スピーカ及び制御基板を支持する光源装置の他の構造を示す断面図である。
【図７】スピーカカバーと基板カバーとの間の他の一例を示す拡大図である。
【図８】スピーカカバーと基板カバーとの間の更に他の一例を示す拡大図である。
【図９】光源装置の他の構成を示す斜視図である。
【発明を実施するための形態】
【００１４】
（第１の実施形態）
（構成）
図１は、第１の実施形態に係る光源装置の概略構成を示す透視斜視図である。また、図２は、光源装置の電気的構成を示すブロック図である。光源装置１は、一般の白熱電球用のソケットに装着可能な口金２２を有し、典型的には電球型である。以下、この光源装置１において口金２２とは反対側を頭頂部という。
【００１５】
この光源装置１は、筐体２１にグローブ３１を被せて一体化した外形を有する。筐体２１とグローブ３１で画成される光源装置１の内部空間には、光源４、スピーカ５、及び光源４とスピーカ５を制御する制御基板７１が収容される。即ち、この光源装置１は、照明機能及び放音機能を有する。
【００１６】
光源４は、ＬＥＤ（Light Emitting Diode）素子又はＥＬ（Electro Luminescence）素子等の発光素子により成る。発光素子は、白色光又は白色光以外の単色若しくは複数色を発光する。この光源４は筐体２１に支持されている。スピーカ５は、コーン型、ドーム型の形状を有し、電気信号を物理的振動により音波信号に変換する装置であり、無線により受信した音楽や音声を放音する。例えばスピーカ５としてはダイナミック型が挙げられる。このスピーカ５は、グローブ３１に一体的に固定されており、筐体２１又は筐体２１から繋がる構造とは非接触となっている。
【００１７】
図２に示すように、制御基板７１は、電源回路７２、オーディオ制御回路７３、光源制御回路７４を備えている。電源回路７２は、口金２２を介して外部商用電源から電力を受け、整流及び平滑化によりＡＣ／ＤＣ変換を行い、ＤＣ／ＤＣ変換によりオーディオ制御部７３及び光源制御回路７４に駆動電力を供給する。オーディオ制御回路７３は、アンテナ又は赤外線受光部によりブルートゥース、ＷｉＦｉ、ＺｉｇＢｅｅ、無線ＬＡＮ又は赤外線等の無線通信規格経由でオーディオ信号を受信し、オーディオ信号を復調、アナログ変換、増幅等してスピーカ５へ出力する。光源制御回路７４は、光源４の点灯、消灯、調光、調色を制御しつつ、光源４に電力を供給する。
【００１８】
図３は、光源４、スピーカ５及び制御基板７１を支持する光源装置１の詳細構造を示す断面図である。まず、筐体２１は概略筒形状を有している。筒形状の一方の末端部は尻窄みし、他端面が開口している。口金２２は、筐体２１の尻窄みした末端部には固定されている。筐体２１の口縁は、光源装置１の内部空間側に延出しており、リング状の棚２３になっている。リング状の棚２３は、筐体２１の円筒軸と直交する平坦面を有する。この棚２３の幅は光源４よりも広い。光源４は、このリング状の棚２３に円環状に並設されている。
【００１９】
熱を発する光源４を支持する筐体２１としては、熱伝導性を有する金属や樹脂やセラミックにより形成されることが望ましい。熱伝導性の金属は例えばアルミニウム、熱伝導性の樹脂は例えばカーボンナノチューブ等の炭素繊維である。
【００２０】
グローブ３１は、内部構造を保護するとともに、光源４の光を外部に拡散させるべく、透過性材料により形成される。透過性材料は、例えばガラス、アクリル又はポリカーボネートである。グローブ３１の周面には、ブラスト加工やコーディングにより面が荒らされ、透光性が付与されている。
【００２１】
このグローブ３１は、円筒のコップ形状を有し、口金２２側が開口し、頭頂部がドーム型に膨出している。グローブ３１の口縁周りの径は筐体２１の外周径と同一である。このグローブ３１と筐体２１の両口縁を合わせ、互いの中心軸を一致させることで、グローブ３１は筐体２１に取り付けられる。尚、グローブ３１の口縁の厚みは、筐体２１のリング状の棚２３よりも薄く、グローブ３１の外周面と筐体２１の外周面を面一に合わせて、グローブ３１と筐体２１とは接続される。そのため、グローブ３１の内周面は光源４が配置される領域に及ばず、グローブ３１は光源４を内包する。
【００２２】
筐体２１とグローブ３１とで画成される内部空間には、スピーカ５の振動板を除いて、スピーカ５と制御基板７１を覆う筒体９１と、光源装置１の頭頂部へ光源４から導光するインナーレンズ６とが設けられている。
【００２３】
この筒体は、スピーカ５と制御基板７１を外部から視認困難にしつつ、光を光源装置１の外部に向けて反射させる反射板として設けられている。或いは、この筒体９１は、光源４の熱からスピーカ５と制御基板７１を保護するために設けられている。または或いは、筒体９１は、これらの両方の目的で設けられている。反射板としての筒体９１は、外表面が白系統色を有し、または外表面に反射材でコーティングされている。遮熱壁としての筒体９１は、耐熱性の樹脂で成る。
【００２４】
更に、この筒体９１は、グローブの頭頂部から垂れ下がってスピーカ５を覆うスピーカカバー９２と、筐体２１から立ち上がって制御基板７１を覆う基板カバー９３とに２分割されている。スピーカカバー９２と基板カバー９３は、スピーカ５の背後、即ちスピーカ５の振動板よりも口金２２側で分割されている。また、このスピーカカバー９２と基板カバー９３は離間して配置され、非接触である。
【００２５】
インナーレンズ６は、スピーカ５を回り込むように、グローブ３１の頭頂部中心側へ光を導光させ、グローブ３１の頭頂部で光を拡散させる導光体であり、内部で全反射させて導光するために屈折率の高い素材が好ましく、例えばガラス、アクリル又はポリカーボネート等で成る。
【００２６】
筒体９１及びインナーレンズ６を更に詳細に説明する。基板カバー９３は内部中空の円筒体９１である。基板カバー９３の径は、光源４が並設されるリング状の棚の内周径と同径又は若干小径である。この基板カバー９３は、リング状の棚２３よりも光源装置１の中心軸側に位置し、光源４よりも口金２２側の低い位置で筐体２１に支持され、頭頂部に向けて光源４よりも高く立ち上がる。光源４は基板カバー９３の外部に位置する。一方、制御基板７１は、基板カバー９３の内部に収容されている。即ち、制御基板７１と光源４は基板カバー９４で隔絶されている。
【００２７】
インナーレンズ６は、頭頂部側でグローブ３１の内面に接着され、筐体２１及び基板カバー９３とは非接触である。このインナーレンズ６は、円筒のコップ形状を有し、頭頂部側がドーム状の膨出し、口金２２側の端面が開口している。インナーレンズ６のドーム状の頭頂部には、入射光が拡散されるように、ブラスト加工等で粗面化され、又は刻み溝が穿設されている。
【００２８】
インナーレンズ６の外周径は、インナーレンズ６の胴部とグローブ３１の胴部との間に隙間が生じる程度に、グローブ３１の内周径よりも小径である。インナーレンズ６の内周径は、インナーレンズ６の胴部と基板カバー９３の胴部との間に隙間が生じる程度に、基板カバー９３の外周径よりも大径である。また、インナーレンズ６の口縁部分の径は筐体２１のリング状の棚２３と同径である。
【００２９】
このインナーレンズ６は、グローブ３１の内側に収容され、グローブ３１と軸を一致させ、またドーム状の端面をグローブ３１の頭頂部に向けて配置され、ドーム状の端面がグローブ３１の頭頂部に接着されることで、グローブ３１に固定されている。インナーレンズ６の胴部は、グローブ３１内で筐体２１側に延びる。但し、インナーレンズ６の全長は、グローブ３１の頭頂部から光源４まで距離よりも短く、インナーレンズ６の口縁は光源４に未達であり、インナーレンズ６と筐体２１との間に隙間が生じる。
【００３０】
スピーカカバー９２は、インナーレンズ６の内面に接着され、筐体２１及び基板カバー９３とは非接触である。このスピーカカバー９２は、お椀形状を有し、頭頂部側の端面がドーム状に膨出し、口金側の端面が開口している。スピーカカバー９２の外周径は、スピーカカバー９２の胴部とインナーレンズ６の胴部との間に隙間が生じる程度に、インナーレンズ６の内周径よりも小径である。このスピーカカバー９２はインナーレンズ６の内側に収容され、ドーム状の端面がインナーレンズ６のドーム状端部の内面に向けて配置され、ドーム状の端面がインナーレンズ６のドーム状端面に接着されることで、インナーレンズ６を介してグローブ３１に固定されている。
【００３１】
スピーカカバー９２の口縁部分の径は基板カバー９３の径と同径である。スピーカカバー９２の胴部は、基板カバー９３へ向けて延び、スピーカカバー９２の口縁と基板カバー９３の口縁とは正対する。但し、スピーカカバー９２の口縁は基板カバー９３の口縁に未達であり、スピーカカバー９２の口縁と基板カバー９３の口縁との間には隙間が生じる。
【００３２】
このようなグローブ３１とインナーレンズ６とスピーカカバー９２が重なる頭頂部には、グローブ３１とインナーレンズ６とスピーカカバー９２を貫く放音孔が形成されている。スピーカ５は、この放音孔に振動板を向け、振動板周囲を取り囲むエッジやフレームでスピーカカバー９２の内面に固定されている。即ち、この光源装置１では、インナーレンズ６とスピーカカバー９２を介してスピーカ５がグローブ３１に固定されている。
【００３３】
また、スピーカ５は、振動板を除いて、インナーレンズ６に覆われることになる。またはスピーカカバー９２の高さによっては、スピーカ５は、振動板を除いて、スピーカカバー９２と基板カバー９３とによって覆われる。
【００３４】
（作用）
このような光源装置１において、外部商用電源から口金２２を介して供給された電力が電源回路７２で交直変換及び降圧されて、光源制御回路７４の制御下で光源４に給電されると、光源４は発光し、一部の光はグローブ３１の胴部から出射する。光源４から出射した他の光は、インナーレンズ６の胴部に導かれて、インナーレンズ６の頭頂部に至り、拡散しつつ光源装置１の頭頂部から出射する。また、筒体９１を反射板として機能させる場合、光源４から筒体方向に出射した光は、筒体９１で反射し、インナーレンズ６とグローブ３１を透過して光源装置１の外部へ至る。
【００３５】
ここで、光源４は発光により高熱を発生させる。しかしながら、遮熱機能を付与した筒体９１によって画成された空間は、基板カバー９３とスピーカカバー９２との間の隙間を除き、光源４と隔絶されているので、スピーカ５の熱による消磁が抑制され、また制御基板７１の熱劣化が抑制されている。そうすると、遮断壁とスピーカカバー９２とは、熱伝導や対流熱伝達を極力小さくすべく、例えば１．５ｍｍ程度以下、望ましくは０．５ｍｍ程度まで近接させておくことが望ましい。
【００３６】
但し、この光源装置１では、基板カバー９３とスピーカカバー９２との間は隙間を潰さずに空けておく。このような光源装置１において、外部商用電源から口金２２を介して供給された電力が電源回路７２で交直変換及び降圧されて、オーディオ制御回路７３の制御下でスピーカ５にオーディオ信号が入力されると、スピーカ５は、外部から受信したオーディオ信号を音波に変換して放音する。
【００３７】
スピーカ５の背後から放音された音波は、逆位相の音波としてスピーカ５の前面に回り込もうとするが、スピーカ５はスピーカカバー９２で前後がセパレートされている。更に、図４は、グローブと筐体により画成される内部空間を示す図であるが、図４に示すように、スピーカ５の背後には、第１の空間８１がスピーカカバー９２と基板カバー９３とで画成されている。また、基板カバー９３とインナーレンズ６との間には、第２の空間８２が画成されている。更に、インナーレンズ６とグローブ３１との間には、第３の空間８３が画成されている。
【００３８】
そして、スピーカカバー９２と基板カバー９３との間には、第１の隙間８４を有している。そのため、スピーカカバー９２と基板カバー９３とで画成される第１の空間８１と基板カバー９３とインナーレンズ６とで画成される第２の空間８２は、この第１の隙間８４によって連通することになる。また、インナーレンズ６と筐体２１との間に第２の隙間８５を有している。そのため、基板カバー９３とインナーレンズ６とで画成される第２の空間８２とインナーレンズ６とグローブ３１との間に画成される第３の空間８３とが、この第２の隙間８５によって連通することになる。
【００３９】
そうすると、この光源装置１において、スピーカ５の背後に拡がる１つの密閉空間は、第１の空間８１と第２の空間８２と第３の空間８３を合わせた、グローブ３１の内部空間と基板カバー９３の内部空間の和集合の空間となる。即ち、このグローブ３１の内部空間と基板カバーの内部空間の和集合の空間が、スピーカ５のエンクロージャとして利用され、エンクロージャの容積が大きくなり、スピーカ５の音質が向上する。
【００４０】
（効果）
このように、この光源装置１は、口金２２が接続された筐体２１に、光の透過性を有するグローブ３１を被せて形作られている。このグローブ３１と筐体２１で画成された内部に、グローブ３１と一体に固定されたスピーカ５と、筐体２１に支持された光源４と、スピーカ５の背後に収容された制御基板７１と、スピーカ５と制御基板７１を覆う筒体９１とを備えるようにした。筒体９１は、スピーカ５の放音面を除いて多い、光源４からスピーカ５及び制御基板７１を隔絶する。
【００４１】
そして、この筒体９１は、グローブ３１の頭頂部側のスピーカカバー９２と筐体２１側の基板カバー９３とに、スピーカ５の背後で２分割されるようにし、スピーカ５とスピーカカバー９２はグローブ３１に固定し、基板カバー９３は筐体２１に支持させ、スピーカカバー９２と基板カバー９３は離間して配置した。
【００４２】
これにより、この光源装置１は、スピーカ５及び制御基板７１を外部から隠すことで光量を増加させ、或いはスピーカ５と制御基板７１を熱から保護しつつ、スピーカ５と制御基板７１を筒体９１で覆いつつ、スピーカ５のエンクロージャとして利用される範囲を、グローブ３１の内部空間と基板カバー９３の内部空間の和集合の空間まで拡大でき、エンクロージャの容積が大きくなり、スピーカ５の音質が向上する。例えば、固有振動数を低下させ、低音域を豊かに再現することができる。
【００４３】
また、筒体９１の外表面に反射機能を付与することで、光源４から出射した光の多くをグローブ３１の胴部に向けることができ、グローブ３１の胴部を明るくすることができる。または、筒体を断熱性樹脂で構成することで、スピーカ５と制御基板７１を熱から保護することができる。
【００４４】
尚、スピーカ５の背後で筒体９１を２分割することができれば、スピーカ５とスピーカカバー９２のグローブ３１への固定態様を各種取り得る。例えば、スピーカ５は、スピーカカバー９２を介してグローブ３１に固定したが、グローブ３１に直接接着或いは嵌め込まれるようにしてもよい。
【００４５】
また、この光源装置１では、一端がスピーカを回り込んでグローブ３１の頭頂部中心側へ湾曲すると共に光を乱反射させ、他端が光源に向けて延びるインナーレンズ６を備えるようにした。但し、頭頂部の光量調整を目的に、インナーレンズ６は配置されるものであり、エンクロージャの容積拡大のためには、インナーレンズ６は必須ではない。
【００４６】
（第２の実施形態）
次に、第２の実施形態に係る光源装置１について図面を参照しつつ詳細に説明する。第１の実施形態と同一構成及び同一機能については同一符号を付して詳細な説明を省略する。この第２の実施形態に係る光源装置１は、第１の実施形態の構造に対して、スピーカカバー９２と基板カバー９３との間の隙間に、音波信号の粗密波は通過させつつ、対流熱伝達を抑制するシール部を備えている。
【００４７】
即ち、図５に示すように、スピーカカバー９２と基板カバー９３の間の第１の隙間８４には、ラビリンスシール部９４が設けられている。ラビリンスシール部９４は、筒体９１への空気の流入経路に沿って櫛歯状の構造を有する。即ち、ラビリンスシール部９４は、筒体９１への空気の流入経路に沿って、絞られた流路と拡開した逃げ溝空間を交互に並べて成る。このラビリンスシール部９４は、各逃げ溝空間で渦流を発生させて圧力損失を増大させることで、光源４によって熱膨張した気体の筒体９１への流入を抑制する。
【００４８】
櫛歯状の構造は、スピーカカバー９２の口縁と基板カバー９３の口縁の何れか又は両方に形成することができる。スピーカカバー９２の口縁と基板カバー９３の口縁の両方に櫛歯状の構造を形成し、スピーカカバー９２と基板カバー９３の間につづら折の流路を形成することで、ラビリンスシール部９４の流路長を増大させるようにしてもよい。
【００４９】
このように、この光源装置１は、スピーカカバー９２と基板カバー９３との間に、音の疎密波を通して、気流を遮断するシール部として、ラビリンスシール部９４を備えるようにした。これにより、スピーカ５のエンクロージャ容積をグローブ３１と筒体９１の和集合まで拡大できるとともに、筒体９１をスピーカカバー９２と基板カバー９３とに分離し、スピーカカバー９２と基板カバー９３とを離間させても、筒体９１の内部へ加熱された気体が流入することを抑制することができる。従って、スピーカ５の音質向上とスピーカ５及び制御基板７１の熱からの保護とを高度に両立することができる。
【００５０】
（第３の実施形態）
次に、第３の実施形態に係る光源装置１について図面を参照しつつ詳細に説明する。第２の実施形態と同一構成及び同一機能については同一符号を付して詳細な説明を省略する。この第３の実施形態に係る光源装置１は、第２の実施形態の構造に対して、ラビリンスシール部９４の経路長を増大させている。
【００５１】
即ち、図６に示すように、スピーカカバー９２の内周径は基板カバー９３の外周径よりも大径であり、またスピーカカバー９２の口縁は基板カバー９３の頭頂部よりも口金２２側に低く垂れ下がる。そして、スピーカカバー９２は、基板カバー９３の頭頂部側の端部を覆っている。この筒体９１においては、スピーカカバー９２の内周面と基板カバー９３の外周面との間が、筒体９１内の第１の空間８１と筒体９１外の第２の空間８２を繋ぐ第１の隙間８４となる。
【００５２】
このような光源装置１において、ラビリンスシール部９４は、基板カバー９３の外周面と対向するスピーカカバー９２の内周面、スピーカカバー９２の内周面と対向する基板カバー９３の外周面、又はこれらの両方に形成され、スピーカカバー９２の口縁側から基板カバー９２の頭頂部側の口縁側に沿って櫛歯状の構造を有する。この光源装置１では、ラビリンスシール部９４の経路長をスピーカカバー９２の口縁から基板カバー９３の頭頂部側の口縁までとすることが出来るので、ラビリンスシール部９４の経路長を増大させることができ、スピーカ５及び制御基板７１の熱からの保護効果を更に高めることができる。
【００５３】
（第４の実施形態）
次に、第４の実施形態に係る光源装置１について図面を参照しつつ詳細に説明する。第１乃至第３の実施形態と同一構成及び同一機能については同一符号を付して詳細な説明を省略する。
【００５４】
図７に示すように、この第４の実施形態に係る光源装置１は、対流熱伝達を抑制するシール部として、スピーカカバー９２と基板カバー９３との隙間に埋めたスポンジ９５を備えている。スポンジ９５は、ポリウレタンや軟質ウレタンフォーム等による柔軟性に富んだ多孔質構造を有する。このスポンジ９５は、光源４で加熱された流体の筒体９１への流入障壁となりつつ、疎密波で成る音波は通過させる。
【００５５】
このように、この光源装置１は、スピーカカバー９２と基板カバー９３との間に、音の疎密波を通して、気流を遮断するシール部として、スポンジ９５を備えるようにした。これにより、スピーカ５のエンクロージャ容積をグローブ３１と筒体９１の和集合まで拡大できるとともに、筒体９１をスピーカカバー９２と基板カバー９３とに分離し、スピーカカバー９２と基板カバー９３とを離間させても、筒体９１の内部へ加熱された気体が流入することを抑制することができる。従って、スピーカ５の音質向上とスピーカ５及び制御基板７１の熱からの保護とを高度に両立することができる。
【００５６】
（第５の実施形態）
次に、第５の実施形態に係る光源装置１について図面を参照しつつ詳細に説明する。第１乃至第４の実施形態と同一構成及び同一機能については同一符号を付して詳細な説明を省略する。
【００５７】
図８に示すように、この第５の実施形態に係る光源装置１は、対流熱伝達を抑制するシール部として、スピーカカバー９２と基板カバー９３との隙間にリップシール部９６を備える。リップシール部９６は、スピーカカバー９２及び基板カバー９３の口縁と同径を有する環状形状を有し、環状基部と当該環状基部の円周囲に沿って延出した舌状部を備えている。環状基部は、スピーカカバー９２の口縁に固定され、舌状部は、先端を基板カバー９３の口縁に押し付けている。
【００５８】
このリップシール部９６は、疎密波で成る音波は伝播させつつ、光源４で加熱された流体のエネルギーの一部を舌状部を押し上げようとするエネルギーに変換して消耗させ、筒体９１へ加熱された流体が流入することを抑制する。従って、スピーカ５の音質向上とスピーカ５及び制御基板７１の熱からの保護とを高度に両立することができる。
【００５９】
（他の実施形態）
以上のように本発明の各実施形態を説明したが、筒体９１をスピーカカバー９２と基板カバー９３とに分割し、スピーカカバー９２と基板カバー９３とを離間させればよく、またそのためにグローブ３１とスピーカ５とスピーカカバー９２を一体的に固定し、光源４と基板カバー９３を筐体２１に支持させればよく、発明の要旨を逸脱しない範囲で、種々の省略、置き換え、変更を行うことができる。そして、これら実施形態やその変形は、発明の範囲や要旨に含まれるとともに、特許請求の範囲に記載された発明とその均等の範囲に含まれる。
【００６０】
図９に示すように、例えば、光源装置１を頭頂部側の照明装置１ａと口金２２側の電源アダプタ装置１ｂに分割し、照明装置１ａと電源アダプタ装置１ｂとを着脱自在としてもよい。この光源装置１は、筐体２１を光源装置１の軸と直交する方向に２分割される。電源アダプタ装置１ｂは、口金２２側の第１の筐体２１ａであり、照明装置１ａは、頭頂部側の第２の筐体２１ｂ及びグローブ３１を一体化して成る。
【００６１】
第２の筐体２１ｂは有底であり、この第２の筐体２１ｂは光源４と基板カバー９３を支持する。第２の筐体２１ｂに被さるグローブ３１は、インナーレンズ６とスピーカカバー９２とスピーカ５と一体化して成る。制御基板７１のうち、電源回路７２とオーディオ制御回路７３の無線受信部は、電源アダプタ装置１ｂに配置され、制御基板７１のうち、無線受信部を除いたオーディオ制御回路７３と光源制御回路７４は、照明装置１ａの筒体９１内に配置される。電源アダプタ装置１ｂは頭頂部側に天井面を有し、電源アダプタ装置１ｂの天井面と照明装置１ａの底面には、互いの基板を電気的に接続するコネクタ２１ｃが配置される。
【００６２】
更に、照明装置１ａと電源アダプタ装置１ｂの外周囲には、ネジ孔１ｃが設けられている。互いのコネクタ２１ｃを接続し、互いのネジ孔１ｃを合わせ、ネジ孔１ｃにネジを通すことで、照明装置１ａと電源アダプタ装置１ｂは着脱自在に接続され、光源装置１となる。
【符号の説明】
【００６３】
１  光源装置
１ａ  照明装置
１ｂ  電源アダプタ装置
２１  筐体
２１ａ  第１の筐体
２１ｂ  第２の筐体
２２  口金
２３  棚
３１  グローブ
３２  放音孔
４  光源
５  スピーカ
６  インナーレンズ
７１  制御基板
７２  電源回路
７３  オーディオ制御回路
７４  光源制御回路
８１  第１の空間
８２  第２の空間
８３  第３の空間
８４  第１の隙間
８５  第２の隙間
９１  筒体
９２  スピーカカバー
９３  基板カバー
９４  ラビリンスシール部
９５  スポンジ
９６  リップシール部
【図１】
2018139178.tif 000003
【図２】
2018139178.tif 000004
【図３】
2018139178.tif 000005
【図４】
2018139178.tif 000006
【図５】
2018139178.tif 000007
【図６】
2018139178.tif 000008
【図７】
2018139178.tif 000009
【図８】
2018139178.tif 000010
【図９】
2018139178.tif 000011